(57)【要約】【課題】各住戸に設置されたインターフォンのモニタテレビに映し出される画像がその住戸に住んでいる住人に関するものであるとともに途切れることなく映し出す集合住宅用監視通話システムを提供する。【解決手段】集合住宅用監視通話システムは、住戸に設置されたモニタテレビ付インターフォン、共同玄関に設置され、各住人の個人識別情報を収得する玄関用照合装置およびロビーを撮影する監視カメラを備え、共同玄関から各住戸までの通路に設置され、個人識別情報を取得する通路用照合装置と、通路用照合装置に対応して設置された監視カメラと、通路用照合装置が個人識別情報を収得したとき、通路用照合装置に対応して設置されている監視カメラが撮影する映像を、個人識別情報が割り当てられた住人の住戸に設置されたインターフォンのモニタテレビに映し出すように制御する制御装置と、を備える。【選択図】図１
2007150398.tif 000002
【特許請求の範囲】
【請求項１】
集合住宅の各住戸に設置されたモニタテレビ付インターフォン、当該集合住宅の共同玄関に設置され、各住人の個人識別情報を収得する玄関用照合装置および上記共同玄関が設けられたロビーを撮影する監視カメラを備える集合住宅用監視通話システムにおいて、
上記共同玄関から各上記住戸までの通路に設置され、上記個人識別情報を取得する通路用照合装置と、
上記通路用照合装置に対応して設置された監視カメラと、
上記通路用照合装置が個人識別情報を収得したとき、当該通路用照合装置に対応して設置されている上記監視カメラが撮影する映像を、当該個人識別情報が割り当てられた住人の住戸に設置された上記インターフォンのモニタテレビに映し出すように制御する制御装置と、
を備えることを特徴とする集合住宅用監視通話システム。
【請求項２】
上記監視カメラは、エレベーター内、エレベーター乗場、上記共同玄関からエレベーター乗場に通じる通路、エレベーター乗場から各住戸に通じる通路の少なくとも１箇所に設置されることを特徴とする請求項１に記載する集合住宅用監視通話システム。
【請求項３】
上記通路用照合装置は、住人が意図的に操作を行わない場合でも、近くを通過する住人の個人識別情報を収得することを特徴とする請求項１または２に記載する集合住宅用監視通話システム。
【発明の詳細な説明】
【技術分野】
【０００１】
この発明は、エレベーター内および玄関ロビーや玄関乗場に監視カメラを設置している集合住宅の監視通話システムに関する。
【背景技術】
【０００２】
マンションなどの集合住宅では、エレベーター内での安全を確保するために、監視カメラを設置する場合がある。そして、各住戸に設置されたモニタテレビ付インターフォンと、共同玄関に設置された指紋照合装置と、エレベーター内に設置された監視カメラとを備え、指紋照合装置は、住戸人を照合したときには、その住戸のモニタテレビ付インターフォンを呼び出す一方、各住戸のモニタテレビ付インターフォンは、指紋照合装置から呼び出されたときには、エレベーターに設置された監視カメラが撮影する映像を、モニタテレビに映し出す（例えば、特許文献１参照）。
【０００３】
【特許文献１】特開２００１−２５３６５５号公報
【発明の開示】
【発明が解決しようとする課題】
【０００４】
従来の集合住宅用通話システムでは、住人が共同玄関ロビーで認証を行ってからエレベーターに乗り込むまでの間に、すでにエレベーターホールで待っていた乗客が先に乗ってエレベーターが出発してしまったときには、認証を行った住戸のインターフォンにはその住戸の住人とは異なる人の映像が表示されてしまうという問題がある。
また、住人が玄関ロビーで認証を行ってからエレベーターに乗り込むまでの間を監視することができないという問題がある。
また、エレベーターが複数台動作している集合住宅では、それぞれのエレベーターの監視カメラの映像を一定間隔で切り換えて各住戸に設置されたインターフォンのモニタテレビに表示させているため、監視を行いたいエレベーターの映像が表示される時間が短いという問題がある。
【０００５】
この発明の目的は、各住戸に設置されたインターフォンのモニタテレビに映し出される画像がその住戸に住んでいる住人に関するものであるとともに途切れることなく映し出す集合住宅用監視通話システムを提供することである。
【課題を解決するための手段】
【０００６】
この発明に係わる集合住宅用監視通話システムは、集合住宅の各住戸に設置されたモニタテレビ付インターフォン、当該集合住宅の共同玄関に設置され、各住人の個人識別情報を収得する玄関用照合装置および上記共同玄関が設けられたロビーを撮影する監視カメラを備える集合住宅用監視通話システムにおいて、上記共同玄関から各上記住戸までの通路に設置され、上記個人識別情報を取得する通路用照合装置と、上記通路用照合装置に対応して設置された監視カメラと、上記通路用照合装置が個人識別情報を収得したとき、当該通路用照合装置に対応して設置されている上記監視カメラが撮影する映像を、当該個人識別情報が割り当てられた住人の住戸に設置された上記インターフォンのモニタテレビに映し出すように制御する制御装置と、を備える。
【発明の効果】
【０００７】
この発明に係わる集合住宅用監視通話システムの効果は、住人が集合住宅の共用スペースを移動するとき、共用スペースに設置された通路用照合装置から個人識別情報が収得され、通路用照合装置に対応して設置されている監視カメラによる画像がその住人の住戸に設置されているインターフォンに表示されるので、他人の映像が住人のインターフォンに表示されることを防げる。
【発明を実施するための最良の形態】
【０００８】
実施の形態１．
図１は、この発明の実施の形態１に係わる集合住宅用監視通話システムの全体構成図である。
この発明の実施の形態１に係わる集合住宅用監視通話システムは、図１に示すように、集合住宅のロビー２とエレベーターの２台の乗客カゴ４ａ、４ｂ内だけにそれぞれ設置されている３台の監視カメラ５ａ、５ｂ、５ｃにより住人３の様子を住人３の住戸６の住戸インターフォン７のモニタテレビ８に常時映し出すことができる。
なお、以下の説明において、監視カメラ５ａ、５ｂ、５ｃを、説明を簡単にするためにロビー２以外乗客カゴ４ａ、４ｂ内だけに設置しているが、通路やエレベーター乗場その他の集合住宅の共用スペースに設置することにより、そこを通過する住人３の様子を映し出すことができる。
そして、この集合住宅用監視通話システムは、ロビー２に設置された玄関扉９の外側に設置されるロビーインターフォン１０、各住戸６に設置される住戸インターフォン７、エレベーターの乗客カゴ４ａ、４ｂ内に設置される通路用照合装置１１およびこれらのシステムを制御する制御装置１２を備える。
また、ロビーインターフォン１０は、玄関用照合装置１３を備える。
【０００９】
玄関用照合装置１３と２台の通路用照合装置１１には、これらの照合装置を識別する認証元識別情報として、機器番号００１、００２、００３が割り当てられている。
また、各監視カメラ５ａ、５ｂ、５ｃで撮影される映像信号には、映像識別情報として、映像番号２０１、２０２、２０３が割り当てられている。
また、住人３には、個人識別情報として、個人ＩＤ番号が割り当てられ、ＲＦＩＤタグ内に記憶され、ＲＦＩＤタグがＩＤカード１５に組み込まれ、それを各住人３が持ち歩いている。
この集合住宅の住人３が５０人の場合、個人ＩＤ番号は、例えばＡ０００１〜Ａ００５０と各住人３に割り当てることができる。
また、住戸６には、住戸識別情報として住戸番号、例えば、７階の１号室であれば０７０１が割り当てられている。
【００１０】
玄関用照合装置１３と通路用照合装置１１には、個人ＩＤ番号を収得する無線収得手段１６が備えられ、所定の範囲内に住人３が近づくと、ＩＤカード１５から無線通信により個人ＩＤ番号が読み取られる。このように無線通信により個人ＩＤ番号を収得することにより、住人３が意識して照合操作を玄関用照合装置１３および通路用照合装置１１に対して行わなくてもすむので日常の動作を妨げることがない。
なお、個人識別情報として、個人ＩＤ番号の替わりに指紋、虹彩などのバイオメトリックス情報や電子キーなどの個人を識別できるものであればこの発明に適用することができる。
そして、玄関用照合装置１３と通路用照合装置１１では、個人ＩＤ番号を収得すると、その個人ＩＤ番号に装置自身の機器番号を付加して認証用情報として制御装置１２に送る。例えば、住人の個人ＩＤ番号がＡ００２３で、収得した装置が玄関用照合装置１３であれば、Ａ００２３−００１が制御装置１２に認証用情報として送られる。
【００１１】
監視カメラ５ａ、５ｂ、５ｃでは、撮影した映像信号に映像番号を付加して、制御装置１２に送信する。
ロビーインターフォン１０には図示しないマイクおよびスピーカが備えられており、電話回線１７により制御装置１２を経由して住戸インターフォン７に接続されている。また、ロビーインターフォン１０には、来客者が訪問先の住戸６を呼び出すための図示しない部屋番号釦と呼出釦が設けられ、部屋番号を入力してから呼出釦を押すことにより、住戸インターフォン７の図示しない呼出ブザーが鳴る。
住戸インターフォン７は、送られてくる映像信号を表示するためのモニタテレビ８、受話器１８、来客者のために玄関扉９を解錠する解錠釦１９を備える。
また、住戸インターフォン７は、映像信号、通話信号および表示映像を選択する映像表示情報信号がそれぞれ伝送される信号線２０を介して制御装置１２に接続されている。
【００１２】
制御装置１２は、玄関用照合装置１３と通路用照合装置１１とから送られてくる認証用情報の個人ＩＤ番号に基づいて、住人３の住戸番号を求めてそれに機器番号を付加して認証済情報を求めるＩＤコントローラ２２、認証済情報を複製して警報監視盤２４と映像制御装置２５とに送るとともに映像信号を中継するインターフェース盤２３、認証済情報の住戸番号と機器番号とに基づいて、識別された住戸６に設置された住戸インターフォン７とロビーインターフォン１０の音声回線を接続するとともにロビー２に設置された玄関扉９の解錠を制御する警報監視盤２４、認証済情報の住戸番号および機器番号に基づいて、住戸インターフォン７とそのモニタテレビ８に表示する映像信号とを特定する映像表示情報信号を送信するとともに映像信号を中継する映像制御装置２５を備える。
【００１３】
次に、制御装置１２における情報および信号の入出力を説明する。
ＩＤコントローラ２２は、玄関用照合装置１３および通路用照合装置１１から認証用情報が入力され、認証の結果住人と認証したとき、認証済情報をインターフェース盤２３に入力する。
インターフェース盤２３は、ＩＤコントローラ２２から認証済情報と各監視カメラ５ａ、５ｂ、５ｃから映像番号が付加された映像信号が入力され、警報監視盤２４に認証済情報、映像制御装置２５に認証済情報および映像番号が付加された映像信号を入力する。
警報監視盤２４は、インターフェース盤２３から認証済情報とロビーインターフォン１０から通話信号が入力され、映像制御装置２５に通話信号、玄関扉９に解錠信号を入力する。
映像制御装置２５は、インターフェース盤２３から認証済情報および映像番号が付加された映像信号と警報監視盤２４から通話信号が入力され、住戸インターフォン７に表示映像情報信号、通話信号、映像信号を入力する。
【００１４】
次に、制御装置１２を構成する機器の機能を説明する。図２は、ＩＤコントローラ２２のブロック図である。図３は、インターフェース盤２３のブロック図である。図４は、映像制御装置２５のブロック図である。
ＩＤコントローラ２２は、図２に示すように、認証用情報を受け取る認証用情報受信手段３０、個人ＩＤ番号を用いて集合住宅居住者名簿を検索してその個人ＩＤ番号に対応する住戸番号を求める住戸識別手段３１、機器番号に基づいて個人ＩＤ番号を取得した装置を識別する認識元識別手段３２、この住戸番号に機器番号を付加して得られた認証済情報をインターフェース盤２３に送信する認証済情報送信手段３３を有する。
【００１５】
インターフェース盤２３は、図３に示すように、ＩＤコントローラ２２から送られてくる認証済情報を受け取る認識済情報受信手段３５、認証済情報を複製して警報監視盤２４と映像制御装置２５に送る第１の認証済情報送信手段３６と第２の認証済情報送信手段３７、映像信号を各監視カメラ５ａ、５ｂ、５ｃから映像制御装置２５の間で中継する映像中継手段３８を有する。
【００１６】
映像制御装置２５は、図４に示すように、インターフェース盤２３から送られてくる認証済情報を受け取る認識済情報受信手段４０、機器番号に基づいて映像番号を求めるとともに住戸番号と合わせて住戸インターフォン７とその住戸インターフォン７のモニタテレビ８に表示する映像信号を特定する表示映像情報信号を求める表示映像情報選択手段４１、表示映像情報信号を送信する表示映像情報送信手段４２、音声信号を中継する信号通話手段４３、映像信号をインターフェース盤２３から住戸インターフォン７の間で中継する映像中継手段４４を有する。
【００１７】
次に、住戸インターフォン７について説明する。図５は、住戸インターフォン７の機能ブロック図である。
住戸インターフォン７では、図５に示すように、表示映像情報信号を受信する表示映像情報受信手段４６、映像信号を受信する映像受信手段４７、表示映像情報信号に基づいて自身で表示する映像信号を選択する表示映像選択手段４８、選択した映像信号をモニタテレビ８に表示する映像表示手段４９、ロビーインターフォン１０と通話する信号通話手段５０を有する。
【００１８】
次に、住人３が玄関からエレベーターを用いて住戸６に移動するときの集合住宅用監視通話システムの動作について説明する。住人３の個人ＩＤ番号をＡ００２３、住戸６の住戸番号を０５０１として説明する。
住人３が玄関に近づくと、玄関用照合装置１３がその住人３の個人ＩＤ番号Ａ００２３を収得し、機器番号００１を付加して認証用情報Ａ００２３−００１をＩＤコントローラ２２に送信する。ＩＤコントローラ２２では、この個人ＩＤ番号を用いて住人３であるか否か認証作業を行う。今の場合、住人３であるので、ＩＤコントローラ２２は認証済情報として０５０１−００１をインターフェース盤２３に送信する。インターフェース盤２３は、この認証済情報を複製して警報監視盤２４と映像制御装置２５に送信する。警報監視盤２４は、認証済情報の機器番号が玄関用照合装置１３に該当する００１であるので、玄関扉９を解錠して住人３がロビー２内に入れるようにする。一方、映像制御装置２５は、認証済情報に基づいて住戸番号０５０１の住戸インターフォン７に映像番号２０１の映像信号を表示するように表示映像情報信号０５０１−２０１を住戸インターフォン７に送信する。住戸番号０５０１の住戸インターフォン７では、表示映像情報信号０５０１−２０１に基づいて自身のモニタテレビ８に映像番号２０１の映像信号を表示する。このようにすることにより、ロビー２を移動する住人３の様子が、自宅のモニタテレビ８に映し出される。
【００１９】
次に、住人３がエレベーターに乗り込むと通路用照合装置１１が住人３の個人ＩＤ番号を収得し、機器番号００２を付加して認証用情報としてＩＤコントローラ２２に送信する。ＩＤコントローラ２２では、この個人ＩＤ番号を用いて住人３であるか否か認証作業を行う。今の場合、住人３であるので、ＩＤコントローラ２２は認証済情報として０５０１−００２をインターフェース盤２３に送信する。インターフェース盤２３は、この認証済情報を複製して警報監視盤２４と映像制御装置２５に送信する。警報監視盤２４は、認証済情報の機器番号が００１でないので、玄関扉９を旋錠したままとする。一方、映像制御装置２５は、認証済情報に基づいて住戸番号０５０１の住戸インターフォン７に映像番号２０２の映像信号を表示するように表示映像情報信号０５０１−２０２を住戸インターフォン７に送信する。住戸番号０５０１の住戸インターフォン７では、表示映像情報信号０５０１−２０２に基づいて自身のモニタテレビ８に映像番号２０２の映像信号を表示する。このようにすることにより、エレベーターで移動する住人３の様子が、自宅のモニタテレビ８に映し出される。
【００２０】
このような集合住宅用監視通話システムは、住人３が集合住宅の共用スペースを移動するとき、共用スペースに設置された通路用照合装置１１から個人識別情報が収得され、通路用照合装置１１に対応して設置されている監視カメラ５による画像がその住人３の住戸６に設置されている住戸インターフォン７に表示されるので、他人の映像だけが住人３の住戸インターフォン７に表示されることがない。すなわち、住人３の映像には他人の映像も映ることはあるが、他人だけの映像が表示されることはない。
また、住人３の移動に沿った場所での映像が表示されるので、途切れることなく住人３の関係者が住人３の様子を連続して確認することができる。
また、何か事故や事件が起こったときでも、場所が分かるのでスムーズな対処を行うことができる。
【００２１】
また、通路用照合装置１１は、無線通信により近くを通過する住人の個人識別情報を収得するので、確実に通路を通過する住人を確認してモニタテレビに表示できる。
【００２２】
実施の形態２．
図６は、この発明の実施の形態２に係わる集合住宅用監視通話システムの全体構成図である。
この発明の実施の形態２に係わる集合住宅用監視通話システムは、実施の形態１に係わる集合住宅用監視通話システムに１台の通路用照合装置１１と監視カメラ５ｄをエレベーター乗場１４に追加したことが異なり、それ以外は同様であるので、同様な部分に同じ符号を付記して説明は省略する。
このように通路用照合装置１１と監視カメラ５ｄを追加したとき、通路用照合装置１１に機器番号００４、監視カメラ５ｄが撮影する映像信号に映像番号２０４を割りふれば、実施の形態１と同様に、エレベーター乗場１４に近づいた住人３から個人ＩＤ番号を収得し、それに基づいて監視カメラ５ｄからの映像信号が住戸インターフォン７のモニタテレビ８に表示される。
【００２３】
このようにエレベーター乗場１４に通路用照合装置１１と監視カメラ５ｄを設置することにより、例えば、ロビー２からエレベーター乗場１４の間が遠い場合、ロビー２だけに監視カメラ５ａだけを設置したときに比べて監視が途切れることを防げる。
【図面の簡単な説明】
【００２４】
【図１】この発明の実施の形態１に係わる集合住宅用監視通話システムの全体構成図である。
【図２】実施の形態１に係わるＩＤコントローラのブロック図である。
【図３】実施の形態１に係わるインターフェース盤のブロック図である。
【図４】実施の形態１に係わる映像制御装置のブロック図である。
【図５】実施の形態１に係わる戸インターフォンのブロック図である。
【図６】この発明の実施の形態２に係わる集合住宅用監視通話システムの全体構成図である。
【符号の説明】
【００２５】
２  ロビー、３  住人、４ａ、４ｂ  乗客カゴ、５ａ、５ｂ、５ｃ、５ｄ  監視カメラ、６  住戸、７  住戸インターフォン、８  モニタテレビ、９  玄関扉、１０  ロビーインターフォン、１１  通路用照合装置、１２  制御装置、１３  玄関用照合装置、１４  エレベーター乗場、１５  ＩＤカード、１６  無線収得手段、１７  電話回線、１８  受話器、１９  解錠釦、２０  信号線、２２  ＩＤコントローラ、２３  インターフェース盤、２４  警報監視盤、２５  映像制御装置、３０  認証用情報受信手段、３１  住戸識別手段、３２  認識元識別手段、３３、３６、３７  認証済情報送信手段、３５、４０  認識済情報受信手段、３８、４４  映像中継手段、４１  表示映像情報選択手段、４２  表示映像情報送信手段、４３  信号通話手段、４６  表示映像情報受信手段、４７  映像受信手段、４８  表示映像選択手段、４９  映像表示手段、５０  信号通話手段。
【図１】
2007150398.tif 000003
【図２】
2007150398.tif 000004
【図３】
2007150398.tif 000005
【図４】
2007150398.tif 000006
【図５】
2007150398.tif 000007
【図６】
2007150398.tif 000008